(57)【要約】【課題】採光部を容易に遮光できる遮光構造を提供する。【解決手段】架台４０には、２つの架台部材４２が連結されて用いられる。架台部材４２は、支柱部４４に桟部４６が接合された簡単な形状にされており、２つの架台部材４２は、桟部４６の調整面５０同士を対向させて、調整面５０を長手方向に相対移動させることで、支柱部４４の間隔を調整して桟部４６同士を連結して一体にできる。これにより、予めトップライトの採寸を行なうことなく、遮光屋根パネルの架台４０を現場作業で作成できるので、トップライトの遮光のための遮光屋根パネルの設置作業が容易になる。【選択図】図１
2020111878.tif 000002
【特許請求の範囲】
【請求項１】
屋根に設置された枠体の内部に光透過性部材が配置された採光部に対し、
支柱部、及び支持面の長手方向の一端部が前記支柱部の長手方向一端部に接合されて前記支柱部の長手方向と交差する方向に延設された桟部を備えた架台部材を対で用い、
互いの前記桟部を隣接させると共に、前記支柱部を前記枠体の幅方向に対で配置させ、前記隣接させた前記桟部同士の重なり代を調整したうえで、前記支柱部を前記枠体の各々に接合すると共に、前記隣接された前記桟部同士を接合することで、前記支持面が上方に向けられた架台を、前記枠体の長手方向に複数設置し、
周縁部が前記採光部の前記枠体の外周外側かつ前記架台の前記支柱部の各々の外側となる大きさとされた遮光性屋根材を、複数の前記架台の各々の前記支持面上に載置して前記桟部の各々に固定して、前記採光部の前記光透過性部材を前記遮光性屋根材によって覆って遮光する遮光方法。
【請求項２】
屋根に設置された枠体の内部に光透過性部材が配置された採光部と、
各々が支柱部、及び支持面の長手方向の一端部が前記支柱部の長手方向一端部に接合されて前記支柱部の長手方向と交差する方向に延設された桟部を備えた一対の架台部材が、互いの前記桟部が前記支持面を上方に向けられて隣接され前記支柱部が前記枠体の幅方向に対で配置されて、前記隣接された前記桟部同士の重なり代が調整されたうえで、前記支柱部の各々が前記枠体の各々に接合されると共に、前記隣接された前記桟部が接合され、前記枠体の長手方向に複数配置された架台と、
周縁部が前記採光部の前記枠体の外周外側かつ前記架台の前記支柱部の各々の外側となる大きさとされ、複数の前記架台の各々の前記支持面上に載置されて、前記桟部の各々に固定されて前記採光部の前記光透過性部材を覆う遮光性屋根材と、
を含む遮光構造。
【請求項３】
前記桟部には、前記支持面の幅方向の一端側に長手方向が前記支持面の長手方向に沿うと共に、長手方向に沿って長尺にされた長孔部が貫通形成された調整面が設けられ、
一対の前記架台部材は、前記調整面が対向されて、前記長孔部に挿入されるボルトによって締結固定されて接合された請求項２に記載の遮光構造。
【請求項４】
前記架台は、前記架台部材の前記支柱部の各々の下端部のみが前記枠体の幅方向外側面に接合されている請求項２又は請求項３に記載の遮光構造。
【請求項５】
前記架台部材の前記支柱部には、前記桟部側に突設されて前記桟部が接合されると共に、前記桟部よりも前記支持面とは反対側に突設された取付部が設けられ、
前記架台は、前記支柱部の各々の前記取付部が前記枠体の上面に当接されている請求項２から請求項４の何れか１項に記載の遮光構造。
【請求項６】
前記遮光性屋根材は、内部に断熱材料が配置されている請求項２から請求項５の何れか１項に記載の遮光構造。
【発明の詳細な説明】
【技術分野】
【０００１】
本発明は、トップライトなどの採光部を遮光する遮光方法及び遮光構造に関する。
【背景技術】
【０００２】
建物の屋根には、屋根部材の一部に光透過性部材を用いて建物内に光を取り入れるため（採光）のトップライト（採光用の天窓）などが設けられることがある。
【０００３】
ここで、特許文献１では、採光装置の改修を提案している。この特許文献１の提案では、採光口を形成している既設枠体から既設樹脂板を取り外し、既設枠板に新設フレームを取り付けると共に、新設フレームの外縁部の新設連結部を既設枠体の外周から垂れ下がるように配置している。また、特許文献１では、採光口及び新設連結部を上方から覆うと共に新設樹脂外周部が新設連結部よりも外周側で垂れ下がるようにした新設樹脂板を配置し、新設樹脂外周部と新設連結部とを貫通する新設連結部材によって新設樹脂外周部と新設連結部とを締結することで、新設フレームを介して新設樹脂板を既存枠体に取り付けるようにしている。
【先行技術文献】
【特許文献】
【０００４】
【特許文献１】特開２０１５−９８６９８号公報
【発明の概要】
【発明が解決しようとする課題】
【０００５】
ところで、建物は、採光されることで屋内に入り込んだ光によって空調効率（特に冷房効率）の低下が生じ易く、店舗などにおいては、空調効率の低下や採光された光が商品に影響を及ぼしてしまうことがある。このため、光透過性屋根材を取り外して遮光性を有する屋根部材を取り付けることで、建物内への採光を抑制（遮光）することが考えられる。
【０００６】
しかしながら、光透過性部材を取り外して遮光性屋根材を取り付ける作業は、屋根側からの作業のみでなく、屋内側からの作業も必要となる。このため、店舗などにおいては、陳列されている商品が作業の影響を受けないようにする必要があり、店舗の営業時間などに影響を及ぼしてしまう。
【０００７】
本発明は上記事実に鑑みてなされたものであり、作業が建物内に影響を及ぼすことなく、採光窓等の採光部を容易に遮光できる遮光方法及び遮光構造を提供することを目的とする。
【課題を解決するための手段】
【０００８】
上記目的を達成するために第１の態様の遮光方法は、屋根に設置された枠体の内部に光透過性部材が配置された採光部に対し、支柱部、及び支持面の長手方向の一端部が前記支柱部の長手方向一端部に接合されて前記支柱部の長手方向と交差する方向に延設された桟部を備えた架台部材を対で用い、互いの前記桟部を隣接させると共に、前記支柱部を前記枠体の幅方向に対で配置させ、前記隣接させた前記桟部同士の重なり代を調整したうえで、前記支柱部を前記枠体の各々に接合すると共に、前記隣接された前記桟部同士を接合することで、前記支持面が上方に向けられた架台を、前記枠体の長手方向に複数設置し、周縁部が前記採光部の前記枠体の外周外側かつ前記架台の前記支柱部の各々の外側となる大きさとされた遮光性屋根材を、複数の前記架台の各々の前記支持面上に載置して前記桟部の各々に固定して、前記採光部の前記光透過性部材を前記遮光性屋根材によって覆って遮光する。
【０００９】
また、第２の態様の遮光構造は、屋根に設置された枠体の内部に光透過性部材が配置された採光部と、各々が支柱部、及び支持面の長手方向の一端部が前記支柱部の長手方向一端部に接合されて前記支柱部の長手方向と交差する方向に延設された桟部を備えた一対の架台部材が、互いの前記桟部が前記支持面を上方に向けられて隣接され前記支柱部が前記枠体の幅方向に対で配置されて、前記隣接された前記桟部同士の重なり代が調整されたうえで、前記支柱部の各々が前記枠体の各々に接合されると共に、前記隣接された前記桟部が接合され、前記枠体の長手方向に複数配置された架台と、周縁部が前記採光部の前記枠体の外周外側かつ前記架台の前記支柱部の各々の外側となる大きさとされ、複数の前記架台の各々の前記支持面上に載置されて、前記桟部の各々に固定されて前記採光部の前記光透過性部材を覆う遮光性屋根材と、を含む。
【００１０】
第１及び第２の態様では、採光部の枠体の長手方向に複数配置される架台の各々に架台部材が対で用いられている。架台部材は、支柱部及び支柱部の長手方向の端部に接合されて、支柱部の長手方向に交差する方向に延設された桟部を備え、桟部には、支持面が設けられている。このため、架台部材は、作製が容易になっている。
【００１１】
架台は、互いの支持面が上方に向けられた桟部が隣接されると共に、各々支持部が桟部の長手方向の両側とされて一対の架台部材が配置される。また、架台は、桟部の長手方向が採光部の枠体の幅方向とされて、枠体の幅方向の両側に支柱部が配置され、隣接された桟部同士の重なり代が調整されたうえで、支柱部の各々が枠体に接合されると共に、桟部同士が接合される。
【００１２】
架台には、採光部の光透過性部材を覆う遮光性屋根材が桟部に架け渡されて配置される。遮光性屋根材は、周縁部が採光部の枠体の外周外側かつ架台の支柱部の各々の外側となる大きさとされて、複数の架台の各々の支持面上に載置されて桟部の各々に固定されている。
【００１３】
ここで、架台は、架台部材を用い、枠体部の幅方向に合わせて架台部材の各々の支柱部を対で配置して、架台部材の各々の桟部を接合することで形成できるので、架台は、予め枠体の幅方向寸法を採寸することなく作製できる。これにより、架台の作製の工数を削減できる。また、架台及び遮光性屋根材は、屋根の上側において採光部を覆うように取り付けられるので、架台及び遮光性屋根材は、設置作業が建物内に影響を及ぼすことなくできて、採光部を容易に遮光できる。
【００１４】
第３の態様の遮光構造は、第２の態様において、前記桟部には、前記支持面の幅方向の一端側に長手方向が前記支持面の長手方向に沿うと共に、長手方向に沿って長尺にされた長孔部が貫通形成された調整面が設けられ、一対の前記架台部材は、前記調整面が対向されて、前記長孔部に挿入されるボルトによって締結固定されて接合されている。
【００１５】
第３の態様では、桟部に調整面が設けられ、調整面は、支持面の幅方向の一端側に、長手方向が支持面の長手方向に沿うように設けられ、一対の架台部材は、桟部が隣接される際に調整面が対向される。また、桟部には、調整面に長孔部が貫通形成されており、支柱部の間隔に合わせて重なり代が調整される際、調整面が長手方向に相対移動される。また、架台部材同士は、長孔部に挿通されるボルトによって桟部同士を接合できる。これにより、枠体の幅寸法に合わせて支柱部の間隔が調整された架台部材を容易に連結して接合できる。
【００１６】
第４の態様の遮光構造は、第２又は第３の態様において、前記架台は、前記架台部材の前記支柱部の各々の下端部のみが前記枠体の幅方向外側面に接合されている。
第４の態様では、架台が枠体に取り付けられる際、天窓部の枠体に架台部材の支柱部の下端部の各々のみが接合される。このため、架台及び遮光性屋根部材の設置が容易になる。また、枠体に配置された光透過性部材に架台及び遮光性屋根部材の荷重がかかるのを抑制できて、光透過性部材を保護できる。
【００１７】
第５の態様の遮光構造は、第２から第４の何れか１の態様において、前記架台部材の前記支柱部には、前記桟部側に突設されて前記桟部が接合されると共に、前記桟部よりも前記支持面とは反対側に突設された取付部が設けられ、前記架台は、前記支柱部の各々の前記取付部が前記枠体の上面に当接されている。
【００１８】
第５の態様では、架台部材の支持部に取付部が設けられており、取付部に桟部が接合されている。また、取付部は、桟部より支持面とは反対側に突設されており、取付部は、採光部の枠体の上面に当接される。これにより、桟部及び遮光性屋根部材が光透過性部材から離間されるので、光透過性部材に架台及び遮光性屋根部材の荷重がかかるのを効果的に抑制できて、光透過性部材を効果的に保護できる。
【００１９】
第６の態様の遮光構造は、第２から第５の何れか１の態様において、前記遮光性屋根材は、内部に断熱材料が配置されている。
【００２０】
第６の態様では、遮光性屋根部材に断熱材が設けられている。これにより、太陽光による熱等が採光部の光透過性部材等を介して屋内に伝わるのを抑制できて、屋内の空調効率を効果的に向上できる。
【発明の効果】
【００２１】
以上説明したように第１の態様によれば、採光部を遮光するための作業が、建物内に影響を及ぼすことがなく、また、遮光のための作業が容易になる、という効果が得られる。
【００２２】
また、第２の態様によれば、採光部を遮光するための架台の作成が容易になるので、採光部を遮光するための作業コストを抑制できる、という効果が得られる。
【００２３】
第３の態様によれば、２つの架台部材を容易に一体に連結できるので、作業効率を向上できる、という効果が得られる。
【００２４】
第４の態様によれば、光透過性部材に架台及び遮光性屋根部材の荷重がかかるのを抑制できて、光透過性部材を保護できる、という効果が得られる。
【００２５】
第５の態様によれば、架台及び遮光性屋根部材を光透過性部材から離間できるので、光透過性部材を効果的に保護できる、という効果が得られる。
【００２６】
第６の態様によれば、屋内の空調効率をより向上できる、という効果が得られる。
【図面の簡単な説明】
【００２７】
【図１】本実施形態に係る架台を示す斜視図である。
【図２】本実施形態に適用した屋根の主要部を示す平面図である。
【図３】屋根の主要部の概略構成を示す断面図である。
【図４】図３の主要部を拡大した断面図である。
【図５】トップライトの他の一例を示す屋根の主要部の平面図である。
【発明を実施するための形態】
【００２８】
以下、図面を参照して本発明の実施の形態の一例を詳細に説明する。
本実施形態において、幅と長さとは、幅≦長さの関係を有し、幅＝長さの場合、一方を幅として他方を長さとしてもよい。また、本実施形態において幅方向及び長さ方向は、幅の方向及び長さの方向を指す。
【００２９】
本実施の形態では、屋根に設置されている採光部（既存の採光部）を遮光する。本実施形態の建物には、コンビニエンスストアなどの商業施設としての既存の店舗が適用されており、本実施形態では、既存の店舗の屋根（既存の屋根）１０を例に説明する。図２には、本実施形態に係る屋根１０の主要部が平面図にて示され、図３には、屋根１０の主要部が水勾配方向の一側から見た断面図にて示され、図４には、図３の主要部が拡大された断面図にて示されている。
【００３０】
〔既存構成〕
先ず、既存の屋根１０の一例を説明する。屋根１０が設置されている建物（店舗）は、鉄骨フレーム等によって躯体（図示省略）が構成されている。図２及び図３に示すように、屋根１０は、屋根材としての金属製の折板（折版）１２が用いられた折板屋根とされている。折板１２には、各々が略台形状の山部１２Ａ及び谷部１２Ｂが設けられており、折板１２は、山部１２Ａと谷部１２Ｂとが幅方向に交互に形成されている。屋根１０は、折板１２の長手方向が水勾配方向にされており、屋根１０は、所定の水勾配が得られるように折板１２が傾斜され、躯体に設けられた図示しない屋根下地に取り付けられている。
【００３１】
屋根１０には、既存の採光部としてのトップライト（天窓）１４が設置されている。本実施形態においてトップライト１４は、一例として平面視矩形状に形成されており、トップライト１４は、長手方向が折板１２の長手方向とされ、幅方向が折板１２の幅方向とされている。
【００３２】
折板１２は、トップライト１４の設置位置において矩形状に開口されており、折板１２の開口内には、下枠１６が取り付けられている。下枠１６は、断面矩形の略筒体状（略筒箱状）に形成されており、下端部が折板１２の谷部１２Ｂに当接され、上端が折板１２の山部１２Ａよりも上方に突出されている。
【００３３】
下枠１６は、上端が略水平方向の外側に折り返されて平坦部１６Ａが形成されており、下枠１６は、平坦部１６Ａの周縁側が下方に折り返されて先端が折板１２の山部１２Ａに当接されている。また、下枠１６の平坦部１６Ａには、水切り板１８が取り付けられており、水切り板１８は、下枠１６とは反対側の端部が、略下方（斜め下方）に向けて折り曲げられ、折板１２の山部１２Ａの下枠１６とは反対側の傾斜に沿うように配置されている。
【００３４】
下枠１６には、平坦部１６Ａ上に断熱材２０が取り付けられている。断熱材２０は、断面矩形状にされて、下枠１６の開口周縁に沿って取り付けられている。これにより、下枠１６は、上部側開口の周縁が断熱材２０によって囲われて断熱されている。
【００３５】
断熱材２０上には、トップライト１４の枠体２２が配置されている。枠体２２は、内枠２４及び外枠２６によって形成されており、内枠２４及び外枠２６は、各々下枠１６の開口を囲う矩形枠状に形成されている。
【００３６】
内枠２４は、矩形枠状の立壁２４Ａの下端部から底板２４Ｂが内方に延設された断面略Ｌ字状に形成されており、内枠２４は、底板２４Ｂが断熱材２０の上面側に固定されている。また、外枠２６は、矩形枠状の立壁２６Ａの上端部から断面略コ字状の嵌合部２６Ｂが突出されている。外枠２６は、立壁２６Ａが内枠２４の立壁２４Ａの上部に外側を囲うように配置されて、内枠２４の立壁２４Ａに締結固定されている。これにより、外枠２６が内枠２４の上部を囲い、外枠２６の嵌合部２６Ｂが、内枠２４の上方（立壁２４Ａの上方）に配置されている。
【００３７】
トップライト１４には、各々矩形状に形成された網入りのガラス板（網入りガラス）２８及び耐衝撃性を有する樹脂製の採光板３０が用いられており、ガラス板２８及び採光板３０の各々は、光透過性を有する光透過性部材とされている。採光板３０は、周辺部が内枠２４の底板２４Ｂの上方に配置されて、内枠２４に取り付けられている。また、ガラス板２８は、採光板３０の上方に配置され、周縁部が防水ゴムなどの弾性部材を介して外枠２６の嵌合部２６Ｂに嵌合されて取り付けられている。
【００３８】
これにより、トップライト１４は、ガラス板２８の周縁に枠体２２による外縁（額縁）が形成され、外縁内に照射される太陽光等が、ガラス板２８及び採光板３０を透過することで、屋内への採光が可能にされている。したがって、建物の屋内は、トップライト１４から太陽光が採光される。
【００３９】
〔遮光構造〕
ここで、本実施形態では、既存屋根の改修工事を例として、トップライト１４を遮光することで、屋内への太陽光の採光を抑制する。図１には、本実施形態に適用した架台４０の主要部が斜視図にて示されている。
【００４０】
図１に示すように、本実施形態に係る架台４０には、一例として２本の架台部材４２が用いられている。架台部材４２は、支柱部４４及び桟部４６を備えている。架台部材４２の桟部４６は、所定長さの等辺山形鋼（アングル材）が用いられている。桟部４６は、一方の外面が支持面４８とされ、他方の外面が調整面５０とされており、桟部４６は、支持面４８と調整面５０とが互いの幅方向の一端側が連結されて長手方向視断面が略Ｌ字形状に形成されている。
【００４１】
桟部４６の調整面５０には、長孔部としての長孔５２が貫通形成されており、長孔５２は、調整面５０の幅方向の中間部において、長軸方向が調整面５０の長手方向に沿って形成されている。これにより、２本の桟部４６は、互いの支持面４８が面一となるように調整面５０を対向されることで、各々の調整面５０の長孔５２の少なくとも一部が重なりあうことが可能になっている。
【００４２】
支柱部４４は、長手方向の一端側に取付部５４が形成されており、取付部５４は、側方視が矩形枠状に形成され、支柱部４４の桟部４６側に突設されている。このような支柱部４４は、例えば、鋼板製の帯状板材が用いられ、帯状板材の長手方向の一端側が矩形枠状に曲げ加工することで容易に作成できる。例えば、支柱部４４には、桟部４６の支持面４８の幅寸法よりも広幅の帯状板材が用いられ、帯状板材の一端部を略コ字状に折曲（曲げ加工）し、さらに折曲先端側が内側に折り曲げられることで断面が上下方向（支柱部４４の長手方向）に長い矩形略枠状に形成される。
【００４３】
支柱部４４は、取付部５４の先端面（長手方向側の面）が取付面５４Ａとされ、取付部５４の下側（取付面５４Ａとは反対側）の面が当接面５４Ｂとされている。支柱部４４は、桟部４６の長手方向の一端側において、取付部５４の取付面５４Ａが桟部４６の支持面４８とは反対側の面（支持面４８の裏側の面）に当接され、取付部５４の側部に桟部４６の調整面５０とは反対側の面が当接されて、桟部４６が溶接等により接合されている。これにより、架台部材４２は、側方（例えば調整面５０側）から見て、支柱部４４と桟部４６とが略直角となるように接合されて、略Ｌ形状に形成されている。また、支柱部４４の取付部５４は、当接面５４Ｂが桟部４６の調整面５０の幅方向外側、すなわち、桟部４６より支持面４８とは反対側に突設されている。
【００４４】
架台４０は、２つの架台部材４２の一方を反転させて、互いの支柱部４４が離間されると共に、桟部４６の先端側が互い他方に向けられて配置され、互いの桟部４６の調整面５０同士が対向される。これにより、架台４０は、２本が一体にされた桟部４６の長手方向の両側に支柱部４４が対で配置され、調整面５０同士を桟部４６の長手方向に相対移動することで、一対の支柱部４４の間隔が変更可能になっている。また、架台４０は、調整面５０の各々の長孔５２に少なくとも２本のボルト５６が挿入されて、ボルト５６の各々にナット５８が螺合されることで、桟部４６同士を締結固定することで、一対の架台部材４２が連結される。なお、２つの架台部材４２は、例えば、桟部４６の長さが異なってもよい。
【００４５】
架台４０は、一対の支柱部４４がトップライト１４の幅方向の両側にされて、桟部４６がトップライト１４を跨ぐように配置される。また、架台４０は、支柱部４４の各々がトップライト１４の枠体２２（外枠２６）に当接されるように、桟部４６同士の重なり代が調整され桟部４６全体の長さが調整されて、一対の支柱部４４の間隔が調整される。
【００４６】
一対の支柱部４４の間隔が調整された架台４０は、支柱部４４の取付部５４の当接面５４Ｂが外枠２６の嵌合Ｂの上面（トップライト１４の周縁）に当接されて枠体２２上に配置され、支柱部４４の各々が例えばネジ６０等が用いられて枠体２２（例えば内枠２４）に締結固定される。これにより、架台４０は、桟部４６の支持面４８が上方に向けられた状態で枠体２２に固定されて設置される。また、支柱部４４の取付部５４における当接面５４Ｂが、調整面５０の幅方向外側に突出されているので、架台４０は、桟部４６が枠体２２及びガラス板２８に干渉するのが防止される。なお、内枠２４と外枠２６との間に段差がある場合には、支柱部４４に内枠２４に向けて凸となる窪み部４４Ａを形成し、窪み部４４Ａにおいてネジ６０を螺合することが好ましい。
【００４７】
また、架台４０は、トップライト１４の長手方向に所定間隔で固定されて複数が枠体２２に取り付けられて配置される。架台４０の取り付け間隔は、枠体２２の幅寸法、及び下記遮光屋根パネル６２の重さ等に応じて設定されるものであればよい。
【００４８】
本実施形態の遮光構造では、遮光用屋根材料としての遮光屋根パネル６２が用いられ、遮光屋根パネル６２が複数の架台４０に跨って載置される。遮光屋根パネル６２には、切断が可能であると共に、幅方向及び長さ方向に複数が連結可能な一般的市販品を用いることが好ましい。また、遮光屋根パネル６２は、表面にＺＡＭ（溶融亜鉛−アルミニウム−マグネシウム合金めっき鋼板の登録商標）や溶融亜鉛めっき処理した材料などの風雨に耐え得る部材が用いられていることが好ましい。これにより、遮光屋根パネル６２は、設置面積の変更が容易、かつ耐候性に優れる。
【００４９】
遮光屋根パネル６２は、表板６４と裏板６６との間に断熱材６８が配置されている。また、遮光屋根パネル６２には、表板６４に略台形状の凸部６４Ａが幅方向に所定間隔で形成され、裏板６６に各々が略台形状の凹部６６Ａが形成されており、凹部６６Ａの各々が凸部６４Ａの各々の下側に形成されている。なお、遮光屋根パネル６２の表面形状は、屋根１０の屋根材の形状を考慮した形状であることが好ましく、これにより、遮光屋根パネル６２が屋根１０の美観を損ねるのを抑制できる。
【００５０】
遮光屋根パネル６２は、長手方向（凸部６４Ａの配列方向とは交差する方向）が折板１２の長手方向とされて屋根１０上に設置される。また、遮光屋根パネル６２は、トップライト１４の枠体２２を覆いかつ架台４０の各々を一体で覆う大きさ（周縁部が枠体２２の外側に突出する大きさ、設置面積）とされ、複数の架台４０の各々に跨って配置される。
【００５１】
遮光屋根パネル６２は、裏板６６が桟部４６の支持面４８に当接されて架台４０に支持される。また、遮光屋根パネル６２は、凸部６４Ａから挿入されて、凹部６６Ａに貫通した取付ネジ６０Ａが支持面４８から桟部４６に螺合されることで、架台４０の各々に締結固定される。これにより、遮光屋根パネル６２は、トップライト１４の上方を覆い、トップライト１４のガラス板２８に太陽光が照射されるのを抑制し、トップライト１４から建物の屋内に太陽の光が差込んでしまうのを抑制する。
【００５２】
このように構成されている本実施形態では、架台４０に２つの架台部材４２が用いられている。架台部材４２は、支柱部４４と桟部４６によって略Ｌ字形状とされた簡単な形状とされているので低コストで容易に作製できる。また、２つの架台部材４２は、桟部４６の調整面５０を対向させた状態で調整面５０を桟部４６の長手方向に相対移動することで、一対の支柱部４４の間隔を調整できる。また、架台部材４２は、桟部４６の調整面５０に長孔５２が形成されているので、２つの架台部材４２は、長手方向の任意の位置においてボルト５６及びナット５８によって簡単に締結固定して接合できる。
【００５３】
一般に、トップライト１４を遮光するための遮光用屋根材を取り付けるための架台を作製するためには、予め店舗を訪問して屋根１０に上がり、トップライト１４の採寸を行なう必要がある。また、架台は、採寸結果に基づいて精度よく作製する必要がある。
【００５４】
これに対して、架台４０では、２つの架台部材４２を用いることで、所謂現場合わせで一対の支柱部４４の間隔を調整できるので、予めトップライト１４の採寸作業を行なう必要がない。このため、作業に先立って店舗を訪問し、屋根１０に上がっての採寸などの作業を行なう必要がなくなり、作業工数を削減できる。しかも、架台４０に用いる架台部材４２は、支柱部４４と桟部４６を接合した簡単な構造であるので、容易に作製できる。
【００５５】
また、架台４０の設置及び遮光屋根パネル６２の取り付けは、店舗の屋根１０上での作業のみであるので、店舗内に陳列されている商品等を移動するなどの養生を行なう必要がないので、トップライト１４の遮光のための作業が店舗の営業に影響を及ぼすことがない。しかも、トップライト１４からの太陽光が遮られるので、店舗内の商品が熱や太陽光の影響を受けて損傷等が生じるのを防止できると共に、店舗内の空調効率の低下を抑制できる。
【００５６】
さらに、架台４０の支柱部４４は、取付部５４の下面の当接面５４Ｂがトップライト１４の枠体２２に当接されるので、トップライト１４の枠体２２に対して、遮光屋根パネル６２を容易に位置決めできる。これにより、トップライト１４（ガラス板２８）と遮光屋根パネル６２との間隔調整を容易になるので、屋根１０に対する適正な位置への遮光屋根パネル６２の取り付けが容易になる。しかも、架台部材４２は、支柱部４４の取付部５４における当接面５４Ｂが、桟部４６の下側に突出されている。このため、架台４０は、架台部材４２は勿論、遮光屋根パネル６２がトップライト１４のガラス板２８から離間されるので、架台部材４２等がガラス板２８に接触して損傷等を生じさせてしまうのを効果的に防止できる。
【００５７】
また、架台４０及び遮光屋根パネル６２の設置の際、既存のトップライト１４の枠体２２等の解体や改修（改造）等を行なうことがないので、屋内から見たトップライト１４の外観を維持できると共に、作業コストの低減を図ることができる。しかも、既存の防水機能を利用できて、遮光屋根パネル６２の取り付け作業及び防水処理が容易になる。
【００５８】
また、遮光屋根パネル６２に断熱材６８を設けているので、遮光屋根パネル６２が太陽光の熱を受けても、遮光屋根パネル６２の熱がトップライト１４から屋内に伝達されるのを抑制できて、断熱性をより向上できる。これにより、屋内の空調効率の低下をより抑制できる。さらに、架台４０は、桟部４６の長手方向両側の支柱部４４の下端部のみが枠体２２に固定されている。このため、遮光屋根パネル６２を架台４０の各々から外して、架台４０の支柱部４４の各々を枠体２２から取り外す簡単な作業で、屋根１０上においてトップライト１４を再現できて、屋内の採光が可能になる。
【００５９】
なお、以上説明した本実施形態では、屋根１０において平面視矩形状に形成されたトップライト１４を例に説明した。しかしながら、採光部は、平面視矩形状に限らず、Ｌ字形状や、矩形状を周回するように繋げた形状であってもよい。
【００６０】
図５には、本実施形態の採光部の変形例としてのトップライト７０の概略が平面図にて示されている。
図５に示すようにトップライト７０は、各々が矩形状に形成されたトップライト部（トップライト）７２とトップライト部（トップライト）７４とが連続された形状にされている。トップライト７０の枠体７６は、トップライト部７２の枠体７２Ａとトップライト部７４の枠体７４Ａとが各々の長手方向の一側において連結されて一体にされた形状にされている。これにより、トップライト７０は、平面視略Ｌ字状に形成されている。
【００６１】
架台４０は、トップライト部７２側において枠体７２Ａの幅方向に架け渡されると共に、複数がトップライト部７２の枠体７２Ａの長手方向に配置されている。また、架台４０は、トップライト部７４側において枠体７４Ａの幅方向に架け渡されると共に、複数がトップライト部７４の枠体７４Ａの長手方向に配置されている。
【００６２】
遮光屋根パネル６２は、複数が長手方向及び幅方向に連結されて平面視略Ｌ字状にされ、トップライト部７２側の架台４０及びトップライト部７４側の架台４０に跨って配置されて、架台４０の各々に固定されて設置されている。
【００６３】
このようなトップライト７０においても、トップライト１４と同様の架台４０（架台部材４２）を用いて容易に遮光できる。また、遮光作業において屋内での作業が不要であるので、トップライト７０の遮光のための作業が店舗の営業等に影響を及ぼすことがない。
【００６４】
なお、以上説明した本実施形態及び変形例では、桟部４６の調整面５０に長孔５２を形成して、ボルト５６とナット５８とによって桟部４６同士を接合して、一対の架台部材４２を接合した。しかしながら、一対の架台部材は、桟部同士を溶接やネジ止め等の各種の接合方法によって接合されてもよい。
【００６５】
また、本実施形態及び変形例では、屋根材として折板１２を例に説明したが、採光部が設けられる屋根は、折板１２に限らず、公知の屋根材が用いられたものであればよい。さらに、本実施形態では、既存屋根の改修工事を例としたが、新築の屋根の採光部の遮光（例えば、冬季などの特定期間を除く期間における遮光）に適用されてもよい。
【符号の説明】
【００６６】
１０    屋根
１２    折板
１４、７０（７２、７４）    トップライト（採光部）
２２、７６（７２Ａ、７４Ａ）    枠体
２８    ガラス板（光透過性部材）
３０    採光板（光透過性部材）
４０    架台
４２    架台部材
４４    支柱部
４６    桟部
４８    支持面
５０    調整面
５２    長孔（長孔部）
５４    取付部
６２    遮光屋根パネル（遮光用屋根材）
６８    断熱材
【図１】
2020111878.tif 000003
【図２】
2020111878.tif 000004
【図３】
2020111878.tif 000005
【図４】
2020111878.tif 000006
【図５】
2020111878.tif 000007